(57)【要約】      （修正有）【課題】複数の漏液検知器を用いる場合に、容易な構成にて各々の漏液検知器を識別することができる漏液検知システムを提供する。【解決手段】漏液検知器２Ａは、識別コード（＝０）及び出力値Ａを上流側へ出力する。従って、制御部３は、所定の識別コード（＝０）に関連付けられた状態で出力値Ａを取得することができる。一方、漏液検知器２Ｂが、識別コード（＝０）及び出力値Ｂを上流側へ出力すると、漏液検知器２Ａが、当該識別コード及び出力値Ｂを受信する。漏液検知器２Ａは、識別コード（＝０）及び出力値Ｂを受信したら、識別コードを一段階変化させ、当該識別コード（＝１）及び出力値Ｂを上流側へ出力する。従って、制御部３は、一段階変化した識別コード（＝１）に関連付けられた状態で出力値Ｂを取得することができる。【選択図】図３
2017058323.tif 000002
【特許請求の範囲】
【請求項１】
センサ電極間に存在する液体の量に応じた第１の出力値を出力する第１の漏液検知器と、
センサ電極間に存在する液体の量に応じた第２の出力値を出力する第２の漏液検知器と、
前記第１の漏液検知器から出力された前記第１の出力値を受信すると共に、前記第２の漏液検知器から出力された前記第２の出力値を受信する制御部と、
上流側から下流側へ向かって順に、前記制御部、前記第１の漏液検知器、及び前記第２の漏液検知器を直列に接続する伝達経路と、を備える漏液検知システムであって、
前記第１の漏液検知器は、複数の漏液検知器の中から特定の漏液検知器を識別するために順次変化可能な識別コードを前記第１の出力値と共に上流側へ出力し、
前記第２の漏液検知器は、前記識別コードを前記第２の出力値と共に上流側へ出力し、
前記第１の漏液検知器は、前記識別コード及び前記第２の出力値を受信したら、前記識別コードを一段階変化させ、当該識別コード及び前記第２の出力値を上流側へ出力する、漏液検知システム。
【請求項２】
各漏液検知器に対して出力値を出力する旨の要求を行う要求信号が、前記伝達経路において上流側から下流側へ向かって順次伝達され、
前記第１の漏液検知器及び前記第２の漏液検知器は、前記要求信号を受信したら、前記出力値及び前記識別コードを上流側へ出力すると共に、前記要求信号を下流側へ出力する、請求項１に記載の漏液検知システム。
【請求項３】
前記要求信号は、前記伝達経路における最も下流側の機器へ到達したら、折り返して上流側へ伝達される、請求項２に記載の漏液検知システム。
【請求項４】
前記伝達経路内では、漏液検知器以外の機器が直列に接続されている、請求項１〜３の何れか一項に記載の漏液検知システム。
【請求項５】
前記伝達経路内では、シリアル通信によって信号の伝達が行われる、請求項１〜４の何れか一項に記載の漏液検知システム。
【発明の詳細な説明】
【技術分野】
【０００１】
本発明は、漏液検知システムに関する。
【背景技術】
【０００２】
従来、センサの電極間に存在する液体の量に応じて出力値を出力する漏液検知器を備える漏水検知システムが知られている。このような漏液検知システムとして、特許文献１には、センサを備える漏液検知器と、当該漏液検知器が配置されている場所とは異なる位置から、漏液検知器の検知結果を監視する機器とを備えたものが記載されている。
【先行技術文献】
【特許文献】
【０００３】
【特許文献１】特開２００３−３２２５８２号公報
【発明の概要】
【発明が解決しようとする課題】
【０００４】
ここで、上述のような漏液検知システムにおいて、複数の漏液検知器を用いて漏液を監視する場合がある。すなわち、一つの制御部に対して、複数の漏液検知器が出力値を出力する。このような構成では、制御部に対する出力値がどの漏液検知器から出力するものであるかを識別する必要が生じる。従って、各々の漏液検知器に対して、識別するための特別な部品を設ける場合がある。しかしながら、このような構成では、設置時に各々の漏液検知器で、識別のための設定を行う必要がある。また、各々の漏液検知器に対して特別な部品を設ける必要がある。すなわち、設定の手間やコストの低減を図ることが要請されている。以上により、複数の漏液検知器を用いる場合に、容易な構成にて各々の漏液検知器を識別することができる漏液検知システムが要請されている。
【課題を解決するための手段】
【０００５】
本発明の一形態に係る漏液検知システムは、センサ電極間に存在する液体の量に応じた第１の出力値を出力する第１の漏液検知器と、センサ電極間に存在する液体の量に応じた第２の出力値を出力する第２の漏液検知器と、第１の漏液検知器から出力された第１の出力値を受信すると共に、第２の漏液検知器から出力された第２の出力値を受信する制御部と、上流側から下流側へ向かって順に、制御部、第１の漏液検知器、及び第２の漏液検知器を直列に接続する伝達経路と、を備える漏液検知システムであって、第１の漏液検知器は、複数の漏液検知器の中から特定の漏液検知器を識別するために順次変化可能な識別コードを第１の出力値と共に上流側へ出力し、第２の漏液検知器は、識別コードを第２の出力値と共に上流側へ出力し、第１の漏液検知器は、識別コード及び第２の出力値を受信したら、識別コードを一段階変化させ、当該識別コード及び第２の出力値を上流側へ出力する。
【０００６】
この漏液検知システムでは、第１の漏液検知器は、識別コード及び第１の出力値を上流側へ出力する。従って、制御部は、所定の識別コードに関連付けられた状態で第１の出力値を取得することができる。一方、第２の漏液検知器が、識別コード及び第２の出力値を上流側へ出力すると、第１の漏液検知器が識別コード及び第２の出力値を受信する。第１の漏液検知器は、識別コード及び第２の出力値を受信したら、識別コードを一段階変化させ、当該識別コード及び第２の出力値を上流側へ出力する。従って、制御部は、順次変化した識別コードに関連付けられた状態で第２の出力値を取得することができる。第２の出力値に関連付けられた識別コードは、第１の出力値に関連付けられた識別コードに対して順次変化したものであるため、制御部は、識別コードを参照することによって、それに関連付けられた出力値が、どの漏液検知器から出力されたものであるかを識別することができる。このように、複数の漏液検知器が伝達経路で直列に接続されている構成において、各漏液検知器から出力された出力値は、下流側から上流側へ伝達するに従って順次変化可能な識別コードに関連付けられたものである。これにより、各々の漏液検知器を識別するための特別な部品や特別な設定を行わなくとも、制御部は、識別コードを参照することで、それと関連付けられた出力値が、どの漏液検知器から出力されたものであるかを容易に識別できる。以上より、複数の漏液検知器を用いる場合に、容易な構成にて各々の漏液検知器を識別することができる。
【０００７】
別の形態に係る漏液検知システムにおいて、各漏液検知器に対して出力値を出力する旨の要求を行う要求信号が、伝達経路において上流側から下流側へ向かって順次伝達され、第１の漏液検知器及び第２の漏液検知器は、要求信号を受信したら、出力値及び識別コードを上流側へ出力すると共に、要求信号を下流側へ出力してよい。これによれば、直列な伝達経路において要求信号が順次伝達されるため、伝達経路上の全ての漏液検知器が要求信号を受信することができる。各漏液検知器が出力値を出力するタイミングを管理しなくとも、要求信号に従うことで、全ての漏液検知器が適切なタイミングで出力値を出力することができる。
【０００８】
別の形態に係る漏液検知システムにおいて、要求信号は、伝達経路における最も下流側の機器へ到達したら、折り返して上流側へ伝達されてよい。これによれば、制御部が、折り返して伝達された要求信号を受信することで、全ての漏液検知器に要求信号が伝達されたことを把握することができる。
【０００９】
別の形態に係る漏液検知システムにおいて、伝達経路内では、漏液検知器以外の機器が直列に接続されていてよい。漏液検知器以外の機器が接続されている場合であっても、上述の効果を奏する。
【００１０】
別の形態に係る漏液検知システムにおいて、伝達経路内では、シリアル通信によって信号の伝達が行われてよい。シリアル通信のポートは、漏液検知器に一般的に既設されている部品である。従って、部品を増やすことなく、既設の部品を流用することができる。
【発明の効果】
【００１１】
本発明によれば、複数の漏液検知器を用いる場合に、容易な構成にて各々の漏液検知器を識別することができる。
【図面の簡単な説明】
【００１２】
【図１】本発明に係る漏液検知システム器の一実施形態を示す概略図である。
【図２】制御部及び漏液検知器の構成を示す概略図である。
【図３】各信号の流れを説明するためのモデルを示す概略図である。
【図４】漏液検知器から出力される識別コード及び出力値が関連付けられた情報の一例である。
【図５】変形例に係る漏液検知システムの概略構成図である。
【発明を実施するための形態】
【００１３】
以下、図面を参照しながら、本発明に係る漏液検知システムの好適な実施形態について詳細に説明する。図１は、本発明に係る漏液検知システムの一実施形態を示す概略図である。
【００１４】
図１に示されるように、漏液検知システム１は、複数の漏液検知器２と、制御部３と、モニター４と、パーソナルコンピュータ６と、を備えている。漏液検知システム１は、複数の漏液検知器２によって、各漏液検知器２周辺に液体が溜まっているか否かを検知するものである。漏液検知システム１は、制御部３と各漏液検知器２とを直列に接続する伝達経路Ｌ１と、制御部３とモニター４とを接続する経路Ｌ２と、モニター４及びパーソナルコンピュータ６とネットワークＮＴとを接続する経路Ｌ３，Ｌ４と、を備えている。ネットワークＮＴは、インターネットやイントラネット等である。
【００１５】
複数の漏液検知器２は、センサ１０によってセンサ電極間に存在する液体の量に応じた出力値をそれぞれ制御部３側へ向かって出力してもよい。また、複数の漏液検知器２は、ある一定量の液体の量を超えた時に出力値（例えばＯＮ信号など）を出力してもよい。制御部３は、複数の漏液検知器２からそれぞれ出力された出力値を受信する。また、制御部３は、複数の漏液検知器２に対して、出力値を出力する旨の要求信号を出力する。複数の漏液検知器２は、スレーブとして機能すると共に、制御部３は、複数の漏液検知器２のマスターとして機能する。漏液検知器２は、伝達経路Ｌ１上に少なくとも２つ以上設けられていればよく、数は特に限定されない。なお、漏液検知器２及び制御部３の構成についての詳細な説明は、後述する。
【００１６】
モニター４は、制御部３とは異なる位置に配置されており、経路Ｌ２を介して制御部３から漏液検知器２の検知結果等の情報を取得し、当該情報を表示する。経路Ｌ２は、例えば、ＣＡＮネットワークによる接続等であってよい。パーソナルコンピュータ６は、経路Ｌ３、ネットワークＮＴ及び経路Ｌ４を介して、モニター４から漏液検知器２の検知結果等の情報を取得する。これによって、遠隔地からパーソナルコンピュータ６を介して漏液状況を監視することができる。なお、パーソナルコンピュータ６に代えて、ネットワークＮＴに接続可能なあらゆる機器を採用してよく、携帯型の通信端末等を用いて漏液状況を監視してもよい。
【００１７】
次に、図２を参照して、制御部３及び漏液検知器２の詳細な構成について説明する。図２は、制御部及び漏液検知器の構成を示す概略図である。なお、以降の説明においては、伝達経路Ｌ１によって直列に接続されている制御部３及び複数の漏液検知器２のうち、マスターである制御部３側へ近づく方向を「上流側」と称し、マスターである制御部３側から遠ざかる方向を「下流側」と称する。図２に示すように、制御部３は、情報処理部２１と、要求信号制御部２２と、通信部２３と、を備えている。制御部３は、伝達経路Ｌ１を介して、直列接続における最も上流側の漏液検知器２に接続されている。
【００１８】
制御部３の情報処理部２１は、複数の漏液検知器２のそれぞれから出力された出力値を含む信号を受信すると共に、当該信号を処理することによって、各漏液検知器２での検知結果に関する情報を取得する。情報処理部２１は、検知結果に関する情報を表示部（不図示）に表示し、モニター４へ出力する。なお、情報処理部２１による情報処理の具体的な例については、漏液検知器２の説明と合わせて後述する。
【００１９】
制御部３の要求信号制御部２２は、複数の漏液検知器２に対して要求信号を出力する。要求信号は、各漏液検知器２に対して出力値を出力する旨の要求を行うための信号である。要求信号は、伝達経路Ｌ１において、上流側から下流側へ向かって順次伝達されるものである。また、要求信号は、最下流側の漏液検知器２へ到達した後は、折り返して伝達経路Ｌ１を下流側から上流側へ向かって順次伝達され、制御部３へ戻される。要求信号制御部２２は、戻された要求信号を受信することによって、１サイクルの測定が終了したことを把握する。要求信号制御部２２は、所定のタイミングで要求信号を出力する。要求信号制御部２２は、前回出力した要求信号が戻って来た後に、新たな要求信号を出力してよい。あるいは、要求信号制御部２２は、前回の要求信号が戻ってきているか否かに関わらず、一定時間の経過に従って新たな要求信号を出力してよい。
【００２０】
制御部３の通信部２３は、他の機器へ信号を送信すると共に、他の機器からの信号を受信する。例えば、通信部２３は、漏液検知器２へ要求信号を送信する。また、通信部２３は、漏液検知器２からの出力値や戻ってきた要求信号等を受信する。
【００２１】
漏液検知器２は、センサ１０と、出力値設定部１６と、信号制御部１７と、通信部１８と、を備えている。漏液検知器２は、伝達経路Ｌ１を介して、制御部３または一段上流側の漏液検知器２と接続されている。また、漏液検知器２は、伝達経路Ｌ１を介して、一段下流側の漏液検知器２と接続されている（ただし、最下流の漏液検知器２の場合は何も接続されないか、他の機器に接続される）。伝達経路Ｌ１の通信方式として、例えば、シリアル通信が採用されてよい。この場合、伝達経路Ｌ１内では、シリアル通信によって信号の伝達が行われる。その他、伝達経路Ｌ１の通信方式として、一対一の通信方式等が採用されてもよい。
【００２２】
漏液検知器２のセンサ１０は、外部に露出して設けられている電極１４Ａ，１４Ｂと、電極１４Ａ，１４Ｂと接続されている信号線１３Ａ，１３Ｂと、を備えている。電極１４Ａ，１４Ｂは、互いに離間して配置されている。電極１４Ａ，１４Ｂは、それらの電極間に液体が存在する場合には、液体により電気的に互いに短絡し、その結果、電極１４Ａ，１４Ｂの間の抵抗値が低下する。このように、センサ１０は、その電極間に存在する液体の量に応じた抵抗値を示す。信号線１３Ａは、その一端が出力値設定部１６に接続され、その他端が電極１４Ａに接続されている。信号線１３Ｂは、その一端が出力値設定部１６に接続され、その他端が電極１４Ｂに接続されている。電極１４Ａ，１４Ｂ間には、外部電源、または内臓バッテリから所定の電位差を付与される。漏液検知器２は、１台につき一つのセンサ１０を取扱い可能であってもよく、１台につき複数のセンサ１０を取扱い可能なマルチチャンネル（例えば５ｃｈ）の機能を有していてもよい。
【００２３】
漏液検知器２の出力値設定部１６は、センサ１０の電極間に存在する液体の量に応じた出力値を設定する。出力値設定部１６は、電極１４Ａ，１４Ｂ間に電位差が付与されることで、当該電位差と電極１４Ａ，１４Ｂ間の抵抗値で決まる分圧抵抗の電圧を出力値として設定してよい。なお、漏液検知器３０の出力値としては、この電圧値そのものでなくてもよく、この電圧値に所定の演算処理を施した値としてもよい。また、出力値設定部１６は、電圧値からセンサ１０の抵抗値（漏液が発生していない場合は高く、漏液が発生してるときは低い）を算出し、その抵抗値を出力値として設定してもよい。
【００２４】
漏液検知器２の信号制御部１７は、各種信号の出力及び入力を制御する。信号制御部１７は、上流側から要求信号を受信したら、識別コードを出力値と共に上流側へ出力すると共に、要求信号を下流側へ出力する。識別コードは、複数の漏液検知器２の中から特定の漏液検知器２を識別するために順次変化可能なコードである。信号制御部１７は、下流側から識別コード及び出力値（下流側の漏液検知器２の出力値）を受信したら、識別コードを一段階変化させ、当該識別コード及び出力値（下流側の漏液検知器２の出力値）を上流側へ出力する。信号制御部１７は、要求信号を下流側へ出力した際に、所定の時間内に下流側から出力値及び識別コードを受信できなかった場合は、その漏液検知器２が最下流に配置された漏液検知器２であると判断し、要求信号だけを上流側へ出力する。信号制御部１７は、下流側から要求信号を受信したら、（出力値などは出力せず）そのまま要求信号を上流側へ出力する。
【００２５】
識別コードは、複数の漏液検知器２の中から特定の漏液検知器を識別するために順次変化可能なコードである。順次変化可能とは、所定の法則性に従った順番に従って変化するものであり、変化後の識別コードを参照したときに、当該識別コードが何段階の変化を経たものであるかを確認可能な状態のものである。識別コードは、具体的には数字によって示される番号であってよい。信号制御部１７は、一段下流側の漏液検知器２から識別コードを受信したら、番号を「１」だけインクリメントし、一段上流側の漏液検知器２へ出力する。従って、複数の漏液検知器２の中の特定の漏液検知器２の出力値と関連付けられた識別コードは、上流側へ向かうに従って、一つずつ番号を増加させながら出力値と共に伝達される。複数の漏液検知器２は直列に接続されているため、識別コードが出力されてから制御部３に到達するまでにインクリメントされる回数は、各漏液検知器２によって異なる。従って、制御部３の情報処理部２１は、受信した出力値に関連付けられた識別コードを参照することで、当該識別コードが何回インクリメントされたものが分かるため、出力値がどの漏液検知器２から出力されたものであるのかを一義的に特定することができる。図４に、漏液検知器２が出力する信号の一例を示す。当該例における漏液検知器２は、５チャンネルのタイプのものである。当該信号は、２１桁の数字から構成されている。具体的には、左側から１〜３桁の数字が識別コードを示している。４〜６桁の数字がチャンネル１の出力値を示している。７〜９桁の数字がチャンネル２の出力値を示している。１０〜１２桁の数字がチャンネル３の出力値を示している。１３〜１５桁の数字がチャンネル４の出力値を示している。１６〜１８桁の数字がチャンネル５の出力値を示している。１９〜２１桁の数字が閾値を示している。各チャンネルの出力値は、要求信号を受信したタイミングで測定された抵抗値である。閾値は、出力値と比較することによって、漏液が発生しているか否かを判定するための値である。なお、識別コードの数字は１つずつ増えなくともよく、一定間隔（例えば５ずつ、１０ずつなど）で順次増えてもよい。識別コードの数字は、順次減らしてゆくものであってもよい。なお、識別コードは、順次変化可能なものであれば数字に限定されない。例えば、識別コードとして、アルファベットを採用してよい。たとえば、伝達経路Ｌ１を順次上流側へ伝達されるに従って、「ａ、ｂ、ｃ、ｄ…」の順で変化してよい。
【００２６】
漏液検知器２の通信部１８は、他の機器へ信号を送信すると共に、他の機器からの信号を受信する。例えば、通信部１８は、制御部３または他の漏液検知器２から要求信号、出力値及び識別コードを受信する。また、通信部１８は、漏液検知器２や制御部３へ要求信号、出力値及び識別コードを送信する。
【００２７】
次に、図３を参照して、漏液検知システム１における具体的な信号の流れについて説明する。図３では、漏液検知システム１は、上流側から下流側へ向かって順番に制御部３、漏液検知器２Ａ、漏液検知器２Ｂ、漏液検知器２Ｃ、及び漏液検知器２Ｄを備えている。
【００２８】
まず、制御部３から出力された要求信号が上流側から下流側へ伝達される流れについて説明する。図３に示すように、制御部３は、漏液検知器２Ａへ要求信号を出力する。漏液検知器２Ａは、上流側から要求信号を受信することで、識別コード及び漏液検知器２Ａの出力値Ａを上流側へ出力する。この時点では、「識別コード＝０」である。漏液検知器２Ａは、下流側の漏液検知器２Ｂへ要求信号を出力する。上流側へ出力された識別コード（＝０）及び出力値Ａは、制御部３に入力される。これにより、制御部３は、出力値Ａを「識別コード＝０」という情報と関連付けて取得することができる。
【００２９】
一方、漏液検知器２Ｂは、上流側から要求信号を受信することで、識別コード及び漏液検知器２Ｂの出力値Ｂを上流側へ出力する。この時点では、「識別コード＝０」である。漏液検知器２Ｂは、下流側の漏液検知器２Ｃへ要求信号を出力する。上流側へ出力された識別コード（＝０）及び出力値Ｂは、漏液検知器２Ａに入力される。漏液検知器２Ａは、漏液検知器２Ｂから出力値Ｂ及び識別コード（＝０）を受信したら、識別コードをインクリメントして一段階変化させることにより「識別コード＝１」とする。また、漏液検知器２Ａは、識別コード（＝１）及び出力値Ｂを上流側の制御部３へ出力する。これにより、制御部３は、出力値Ｂを「識別コード＝１」という情報と関連付けて取得することができる。
【００３０】
一方、漏液検知器２Ｃは、上流側から要求信号を受信することで、識別コード及び漏液検知器２Ｃの出力値Ｃを上流側へ出力する。この時点では、「識別コード＝０」である。漏液検知器２Ｃは、下流側の漏液検知器２Ｄへ要求信号を出力する。上流側へ出力された識別コード（＝０）及び出力値Ｃは、漏液検知器２Ｂに入力される。漏液検知器２Ｂは、漏液検知器２Ｃから出力値Ｃ及び識別コード（＝０）を受信したら、識別コードをインクリメントして一段階変化させることにより「識別コード＝１」とする。また、漏液検知器２Ｂは、識別コード（＝１）及び出力値Ｃを上流側の漏液検知器２Ａへ出力する。漏液検知器２Ａは、漏液検知器２Ｂから出力値Ｃ及び識別コード（＝１）を受信したら、識別コードをインクリメントして一段階変化させることにより「識別コード＝２」とする。また、漏液検知器２Ａは、識別コード（＝２）及び出力値Ｃを上流側の制御部３へ出力する。これにより、制御部３は、出力値Ｃを「識別コード＝２」という情報と関連付けて取得することができる。
【００３１】
一方、漏液検知器２Ｄは、上流側から要求信号を受信することで、識別コード及び漏液検知器２Ｄの出力値Ｄを上流側へ出力する。この時点では、「識別コード＝０」である。漏液検知器２Ｄは、下流側へ要求信号を出力する。上流側へ出力された識別コード（＝０）及び出力値Ｄは、漏液検知器２Ｃに入力される。漏液検知器２Ｃは、漏液検知器２Ｄから出力値Ｄ及び識別コード（＝０）を受信したら、識別コードをインクリメントして一段階変化させることにより「識別コード＝１」とする。また、漏液検知器２Ｃは、識別コード（＝１）及び出力値Ｄを上流側の漏液検知器２Ｂへ出力する。漏液検知器２Ｂは、漏液検知器２Ｃから出力値Ｄ及び識別コード（＝１）を受信したら、識別コードをインクリメントして一段階変化させることにより「識別コード＝２」とする。また、漏液検知器２Ｂは、識別コード（＝２）及び出力値Ｄを上流側の漏液検知器２Ａへ出力する。漏液検知器２Ａは、漏液検知器２Ｂから出力値Ｄ及び識別コード（＝２）を受信したら、識別コードをインクリメントして一段階変化させることにより「識別コード＝３」とする。また、漏液検知器２Ａは、識別コード（＝３）及び出力値Ｄを上流側の制御部３へ出力する。これにより、制御部３は、出力値Ｄを「識別コード＝３」という情報と関連付けて取得することができる。
【００３２】
以上より、制御部３の情報処理部２１は、「識別コード＝０」という情報と関連づけられた出力値Ａと、「識別コード＝１」という情報と関連づけられた出力値Ｂと、「識別コード＝２」という情報と関連づけられた出力値Ｃと、「識別コード＝３」という情報と関連づけられた出力値Ｄと、を取得できる。各出力値に関連付けられた識別コードは互いに異なるものであり、下流から上流へ順次値が増加しているため、制御部３の情報処理部２１は、識別コードが小さいものから順に、「識別コード＝０」に関連づけられた出力値Ａが最上流側の漏液検知器２Ａの値であり、「識別コード＝１」に関連づけられた出力値Ｂが次の漏液検知器２Ｂの値であり、「識別コード＝２」に関連づけられた出力値Ｃが次の漏液検知器２Ｃの値であり、「識別コード＝３」に関連づけられた出力値Ｄが最下流側の漏液検知器２Ｄの値であることを特定できる。
【００３３】
次に、要求信号が折り返されて下流側から上流側へ伝達される流れについて説明する。漏液検知器２Ｄは、下流側へ要求信号を出力する。しかし、漏液検知器２Ｄは最下流側に配置されているため、所定時間経過しても、下流側から他の漏液検知器の出力値を受信することはできない。従って、所定時間経過後、漏液検知器２Ｄは、上流側の漏液検知器２Ｃへ要求信号を出力する。漏液検知器２Ｄは、受信した要求信号をそのまま上流側の漏液検知器２Ｃへ出力する。漏液検知器２Ｃは、受信した要求信号をそのまま上流側の漏液検知器２Ｂへ出力する。漏液検知器２Ｂは、受信した要求信号をそのまま上流側の漏液検知器２Ａへ出力する。漏液検知器２Ａは、受信した要求信号をそのまま上流側の制御部３へ出力する。これによって、制御部３は、全ての漏液検知器２Ａ〜２Ｄへ要求信号が行き届き、１回分の測定が完了したことを把握できる。
【００３４】
次に、本実施形態に係る漏液検知システム１の作用・効果について説明する。
【００３５】
この漏液検知システム１では、漏液検知器２Ａは、識別コード（＝０）及び出力値Ａを上流側へ出力する。従って、制御部３は、所定の識別コード（＝０）に関連付けられた状態で出力値Ａを取得することができる。一方、漏液検知器２Ｂが、識別コード（＝０）及び出力値Ｂを上流側へ出力すると、漏液検知器２Ａが、当該識別コード及び出力値Ｂを受信する。漏液検知器２Ａは、識別コード（＝０）及び出力値Ｂを受信したら、識別コードを一段階変化させ、当該識別コード（＝１）及び出力値Ｂを上流側へ出力する。従って、制御部３は、一段階変化した識別コード（＝１）に関連付けられた状態で出力値Ｂを取得することができる。出力値Ｂに関連付けられた識別コード（＝１）は、出力値Ａに関連付けられた識別コード（＝０）に対して一段階変化したものであるため、制御部３は、識別コードを参照することによって、それに関連付けられた出力値が、どの漏液検知器２Ａ，２Ｂから出力されたものであるかを識別することができる。このように、複数の漏液検知器２Ａ〜２Ｄが伝達経路で直列に接続されている構成において、各漏液検知器２Ａ〜２Ｄから出力された出力値は、下流側から上流側へ伝達するに従って順次変化可能な識別コードに関連付けられたものである。これにより、各々の漏液検知器２Ａ〜２Ｄを識別するための特別な部品や特別な設定を行わなくとも、制御部３は、識別コードを参照することで、それと関連付けられた出力値が、どの漏液検知器２Ａ〜２Ｄから出力されたものであるかを容易に識別できる。以上より、複数の漏液検知器を用いる場合に、容易な構成にて各々の漏液検知器を識別することができる。
【００３６】
漏液検知システム１において、各漏液検知器２Ａ〜２Ｄに対して出力値を出力する旨の要求を行う要求信号が、伝達経路Ｌ１において上流側から下流側へ向かって順次伝達され、各漏液検知器２Ａ〜２Ｄは、要求信号を受信したら、出力値及び識別コードを上流側へ出力すると共に、要求信号を下流側へ出力する。これによれば、直列な伝達経路Ｌ１において要求信号が順次伝達されるため、伝達経路Ｌ１上の全ての漏液検知器２Ａ〜２Ｄが要求信号を受信することができる。各漏液検知器２Ａ〜２Ｄが出力値を出力するタイミングを管理しなくとも、要求信号に従うことで、全ての漏液検知器２Ａ〜２Ｄが適切なタイミングで出力値を出力することができる。
【００３７】
漏液検知システム１において、要求信号は、伝達経路Ｌ１における最も下流側の機器（実施形態では漏液検知器２Ｄ）へ到達したら、折り返して上流側へ伝達される。これによれば、制御部３が、折り返して伝達された要求信号を受信することで、全ての漏液検知器２Ａ〜２Ｄに要求信号が伝達されたことを把握することができる。
【００３８】
漏液検知システム１において、伝達経路Ｌ１内では、シリアル通信によって信号の伝達が行われている。シリアル通信のポートは、漏液検知器２に一般的に既設されている部品である。従って、部品を増やすことなく、既設の部品を流用することができる。
【００３９】
本発明は、上述の実施形態に限定されるものではない。例えば、図５に示すように、漏液検知システム１において、伝達経路Ｌ１内では、漏液検知器２以外の機器が直列に接続されていてよい。すなわち、請求項における「上流側から下流側へ向かって順に、制御部、第１の漏液検知器、及び第２の漏液検知器を直列に接続」という表現は、各構成要素の間に別の機器が介在している場合も含んでいる。漏液検知器以外の機器が接続されている場合であっても、上述の効果を奏する。例えば、図５では、漏液検知器２Ｂに代えて機器５０が接続されている。機器５０は、例えば、リレー、ＬＥＤ、ブザー、ガスセンサ、地震計等である。機器５０は、上流側から要求信号を受信したら、そのまま下流側へ要求信号を出力する。また、機器５０は、下流側から識別コード及び出力値、あるいは要求信号を受信したら、そのまま各信号を上流側へ出力する。一方、制御部３が機器５０を制御するための信号を出力したら、漏液検知器２Ａは当該制御信号をそのまま機器５０へ出力する。なお、漏液検知器２同士が直列に接続されていればよく、漏液検知器２に対して並列に他の機器が接続されていてもよい。
【００４０】
また、上述の実施形態では、各漏液検知器は要求信号を受信したタイミングで出力値を上流側へ出力していた。これに代えて、要求信号を用いることなく、所定のタイミングで各漏液検知器が自発的に出力値を出力してもよい。
【符号の説明】
【００４１】
１…漏液検知システム、２…漏液検知器、２Ａ…漏液検知器（第１の漏液検知器）、２Ｂ…漏液検知器（第２の漏液検知器）、３…制御部、５０…機器、Ｌ１…伝達経路。
【図１】
2017058323.tif 000003
【図２】
2017058323.tif 000004
【図３】
2017058323.tif 000005
【図４】
2017058323.tif 000006
【図５】
2017058323.tif 000007